(57)【要約】      （修正有）【課題】包装資材や包装工程、包装体のコストを増大させることがなく、簡易な構造で、一次包装体である容器の不用意な移動によって、透明な二次包装体の外部から透視される容器入りの商品の商品価値が損なわれるのを防止することのできる包装体を提供する。【解決手段】少なくとも正面側１ａが透明な包装体本体１の上部と底部にガゼット部が形成され、上部ガゼット部によって開閉自在とされる開口部を形成。包装体本体１はガゼット部によって包装体本体１の正面側１ａと背面側１ｂとが膨出しうるように形成され、且つ被包袋物１５を包装体本体１内に収容すると、包装体本体１の正面側１ａと背面側１ｂとが膨出することで復元力が生じ、包装体本体１の正面側１ａと背面側１ｂとで被包装物１５が挟持固定されうるような可撓性材料で包装体本体１が構成されている。【選択図】図６
2009173299.tif 000002
【特許請求の範囲】
【請求項１】
少なくとも正面側が透明な包装体本体（１）の上部と底部に、ガゼット部（９）、（１２）が形成され、前記包装体本体（１）の上部には開口部（２）が形成されて、該開口部（２）が前記上部のガゼット部（９）によって開閉自在とされ、前記包装体本体（１）は前記上部と底部とに形成されたガゼット部（９）、（１２）によって該包装体本体（１）の正面側と背面側とが膨出しうるように形成され、且つ前記包装体本体（１）の正面側と背面側とが膨出するように被包袋物（１５）を包装体本体（１）内に収容した状態で前記膨出に対する復元力により前記包装体本体（１）の正面側と背面側とで前記被包装物（１５）が挟持固定されうるような可撓性材料で前記包装体本体（１）が構成されていることを特徴とする包装体。
【請求項２】
包装体本体（１）が１枚の合成樹脂製シートで構成されている請求項１記載の包装体。
【発明の詳細な説明】
【技術分野】
【０００１】
本発明は、包装体、さらに詳しくは、化粧品、医薬品、飲料、その他の内容物を収容する容器、特に円筒状、円柱状等の容器を包装し、店頭等に陳列、展示等して容器ごと外部から透視させて展示効果を高めるとともに、化粧品、医薬品等が収容された容器の回転等の不用意な移動を阻止する、いわゆる一次包装保護のための包装体に関する。
【背景技術】
【０００２】
一般に、化粧品、医薬品、飲料等は、その種類によって瓶類等の容器に収容され、そのような容器がさらに別の包装体に包装されて製品化され、市場に流通している。このような包装形態の場合、内容物である化粧品、医薬品、飲料等に対して容器は一次包装体であり、その容器を包装する包装体は二次包装体といえる。
【０００３】
このような一次包装及び二次包装の形態で化粧品、医薬品、飲料等の商品が市場に流通する場合、搬送時において、一次包装体である容器が二次包装体の内部で不用意に移動することがある。特に一次包装体である容器が円筒状、円柱状等のものである場合には、二次包装体の内部で回転するおそれがあり、そのような回転による不用意な移動は、円筒状、円柱状等の容器の場合に最も可能性が高い。
【０００４】
一方、化粧品、医薬品等を容器に収容して商品とする場合には、二次包装体を透明な合成樹脂等の素材で構成し、店頭等に陳列、展示等して容器ごと外部から透視させることがある。この場合には、商品の展示効果を高めることができる。
【０００５】
しかしながら、上記のように回転等によって一次包装体である容器が不用意に移動すると、その一次包装体である容器の正面側に付されたラベル等の商品に関する情報表示物が、正面以外の位置に向くこととなり、その結果、透明な二次包装体の外部に透視される状態も正面以外の位置にラベル等の商品に関する情報表示物が位置することとなるので、本来展示効果を高めるために透明な二次包装体に包装された容器入りの化粧品、医薬品等の商品価値が著しく損なわれるという問題がある。
【０００６】
そこで、このような問題点を解決するために、たとえば下記特許文献１のような特許出願がなされている。この特許文献１は、請求項１に記載されているように、少なくとも正面側を透明又は半透明とし背面側に開口部を形成したクリアケースと、このクリアケースの正面側に正面部を配置して収納する化粧料収納容器と、表面に表面粘着層を形成したフィルム本体の一部に切込みを設けて舌片を形成し、このフィルム本体を表面粘着層を介してクリアケースの背面側に止着したときに舌片を開口部を介して化粧料収納容器の背面に止着して化粧料収納容器の回転防止を可能とした固定フィルムとからなる包装化粧品に係るものである。
【０００７】
しかし、この特許文献１に開示された包装体は、表面に表面粘着層を形成したフィルム本体の一部に切込みを設けて舌片を形成し、このフィルム本体を表面粘着層を介してクリアケースの背面側に止着する構成としたものであるので、このような粘着層を具備するフィルムが包装体とは別に必要となり、包装資材が増えることになり、また包装体での被包装物の包装工程の他に、粘着層を介してフィルムを包装体に貼着する工程も必要となり、結果として包装体のコストが増大するという問題点がある。
【０００８】
【特許文献１】特開２００６−２４０６４７号公報
【発明の開示】
【発明が解決しようとする課題】
【０００９】
本発明は、このような問題点を解決するためになされたもので、包装資材や包装工程を増加させることなく、従って包装体のコストを増大させることがなく、しかも簡易な構造で、一次包装体である容器の不用意な移動、特に円筒状、円柱状等の容器の回転による不用意な移動によって、透明な二次包装体の外部から透視される容器入りの商品の商品価値が損なわれるのを防止することのできる包装体を提供することを課題とする。
【課題を解決するための手段】
【００１０】
本発明は、上記のような課題を解決するためになされたもので、少なくとも正面側が透明な包装体本体１の上部と底部に、ガゼット部９、１２が形成され、前記包装体本体１の上部には開口部２が形成されて、該開口部２が前記上部のガゼット部９によって開閉自在とされ、前記包装体本体１は前記上部と底部とに形成されたガゼット部９、１２によって該包装体本体１の正面側と背面側とが膨出しうるように形成され、且つ前記包装体本体１の正面側と背面側とが膨出するように被包袋物１５を包装体本体１内に収容した状態で前記膨出に対する復元力が生じて前記包装体本体１の正面側と背面側とで前記被包装物１５が挟持固定されうるような可撓性材料で前記包装体本体１が構成されていることを特徴とする包装体を提供するものである。
【００１１】
包装体本体は、好ましくは、１枚の合成樹脂製シートで構成される。
【発明の効果】
【００１２】
本発明の包装体は、上述のように、少なくとも正面側が透明な包装体本体の上部と底部に、ガゼット部が形成され、前記包装体本体の上部には開口部が形成されて、該開口部が前記上部のガゼット部によって開閉自在とされ、前記包装体本体は前記上部と底部とに形成されたガゼット部によって該包装体本体の正面側と背面側とが膨出しうるように形成され、且つ前記包装体本体の正面側と背面側とが膨出するように被包袋物を包装体本体内に収容した状態で前記膨出に対する復元力が生じて前記包装体本体の正面側と背面側とで前記被包装物が挟持固定されうるような可撓性材料で前記包装体本体が構成されているものであるため、上記のような包装体本体の正面側と背面側の膨出に対する復元力により、被包装物が包装体本体によって挟持固定され、それによって被包装物の不用意な移動が阻止されることとなる。
【００１３】
特に、被包装物が円筒状、円柱状等の場合には、包装体本体の正面側と背面側の復元力が作用して、被包装物の不用意な回転が阻止されることとなる。その結果、被包装物が容器のような一次包装体である場合に、その容器の正面側に付されたラベル等の商品に関する情報表示物が正面以外の位置に向くことを好適に阻止することができ、その結果、透明な二次包装体の外部に透視される状態において、正面にラベル等の商品に関する情報表示物が位置することとなるので、商品の展示効果等を損なうこともないという効果がある。
【発明を実施するための最良の形態】
【００１４】
以下、一実施形態の包装体について図面に従って説明する。
【００１５】
（実施形態１）
一実施形態の包装体は、図４に示すように、透明な１枚の合成樹脂製シートを打ち抜き等の加工を行って所望形状に形成し、その所望形状に形成された１枚の合成樹脂製シートを、図１乃至３のような形態に折り曲げ、所定部位を接着等することによって構成された包装体本体１からなるものである。合成樹脂としては特に限定されるものではないが、たとえば、ポリエチレン、ポリプロピレン、ポリエチレンテレフタレート等を使用することができる。この合成樹脂製シートの素材としては、可撓性を有する硬質の合成樹脂が用いられる。
【００１６】
図１乃至４に示すように、包装体本体１は、正面側の一片１ａと、背面側の他片１ｂとを具備し、その一片１ａと他片１ｂ間の上部に開口部２を有して構成されている。包装体本体１の一片１ａの上部は、前記開口部２から他片１ｂの上部よりも延長されて延長片３が形成され、頂部の折曲部４を介して下向きに折り曲げられることによって折曲片５が形成されている。前記折曲片５の先端側には、さらにガゼット押え片６が形成され、該ガゼット押え片６には指掛孔７が穿設されている。さらに該ガゼット押え片６の先端側には、突片８が突設されている。
【００１７】
一方、包装体本体１の他片１ｂの上部には、２つの略台形状のガゼット形成片９ａ、９ｂが連設され、折曲部９ｃを介して２つのガゼット形成片９ａ、９ｂを折り曲げることによって、上部のガゼット部９が形成されるように構成されている。さらに、ガゼット形成片９ｂの先端側には、摘み片１０が突設されている。さらに、ガゼット形成片９ａ、９ｂ間の折曲部９ｃ上には、前記ガゼット押え片６の先端側に突設された突片８を差し込み可能なスリット１１が形成されている。
【００１８】
さらに、包装体本体１の一片１ａの下部には、図４に示すように２つの略台形状のガゼット形成片１２ａ、１２ｂが連設され、折曲部１２ｃを介して２つのガゼット形成片１２ａ、１２ｂを外向きに折り曲げることによって、図１に示すように略台形状のガゼット部１２が包装体本体１の下側に突出するように形成されている。さらに、包装体本体１の他片１ｂの下部には、図４に示すようにガゼット形成片１２ｂに接着することができる接着片１３が連設されている。そして、この接着片１３が、図１のようにガゼット形成片１２ｂの内側に接着されることによって、底部のガゼット部１２が形成されることとなる。
【００１９】
包装体本体１の一片１ａと他片１ｂは、該包装体本体１の一片１ａの一側縁側において連設され、該包装体本体１の一片１ａの他側縁側には、図４に示すように該包装体本体１の他片１ｂとの接着部分となる接着片１４が連設されている。
【００２０】
そして、包装体本体１の一片１ａと他片１ｂとの連設部分において包装体本体１の一側縁が形成され、図１のように前記接着片１４が他片１ｂの側縁の外側に接着されることによって包装体本体１の他側縁が形成されることとなる。
【００２１】
このように、接着片１４が他片１ｂの側縁の外側に接着されることで、包装体本体１の
正面側の一片１ａと背面側の他片１ｂとが構成され、また底部のガゼット形成片１２ａ、１２ｂを折り曲げるとともに、他方のガゼット形成片１２ｂに接着片１３を接着し、ガゼット部１２が形成されることによって本実施形態の包装体が構成されることとなる。この状態では、ガゼット形成片１２ａ、１２ｂは、内向きに折り込まれているのではなく、外向きに折り曲げられているだけであるので、展開された状態のガゼット部１２として形成されているわけではない。また、上部のガゼット形成片９ａ、９ｂも折り曲げられてはいない。従って、包装体は、図２及び図３に示すように、全体がほぼシート状の状態とされている。
【００２２】
次に、このような構成からなる包袋体を使用する場合には、図５に示すように外向きに折り曲げられていたガゼット形成片１２ａ、１２ｂを内向きに折り込むことによって、同図のように底部のガゼット部１２が少し展開された状態となる。
【００２３】
このようにしてガゼット形成片１２ａ、１２ｂを内向きに折り込み、底部のガゼット部１２が少し展開させた状態で、図６に示すように被包装物１５を開口部２から包装体本体１内に収容する。このとき、同図に示すように被包装物１５の下部が底部のガゼット部１２に接触するまで被包装物１５を包装体本体１の内部に押し込む。
そして、上部のガゼット形成片９ａ、９ｂを内向きに折り込むとともに折曲片５を下向きに折り曲げ、ガゼット押え片６の先端側の突片８をスリット１１に差し込むことで、前記ガゼット形成片１２ａ、１２ｂの折り込み状態が維持されることとなる。また、それとともにガゼット形成片１２ａ、１２ｂや折曲片５によって開口部２がほぼ閉じられ、包装体本体１が封緘されたような状態となって、該包装体本体１によって被包装物１５が包装されることとなる。この場合、ガゼット形成片９ａ、９ｂを内向きに折り込んで形成された上部のガゼット部９が、被包装物１５の上部に接触しないように、上部のガゼット部９と下部のガゼット部１２間の寸法は予め設定されている。これは、上部のガゼット部９が、被包装物１５の上部に接触すると、突片８をスリット１１に差し込む作業に支障を生じるおそれがあり、また後述する引張応力が包装体本体１の一片１ａと他片１ｂに好適に生じないおそれがあるからである。
被包装物としては、本実施形態では、図６及び図７に示すように、円柱状の被包装物を包装する場合について説明する。
【００２４】
この場合において、包装体本体１を構成する素材として、可撓性を有する硬質の合成樹脂が用いられているため、上記のように被包装物１５が包装体本体１内に収容されて包装された状態において、前記包装体本体１の正面側の一片１ａと背面側の他片１ｂとの復元力が生じ、或いは該包装体本体１の一片１ａと他片１ｂとに引張応力が生じ、該包装体本体１の一片１ａと他片１ｂ間で被包装物１５が圧接されて挟持固定された状態となる。
【００２５】
また上部のガゼット部９における折曲部９ｃと、下部のガゼット部１２における折曲部１２ｃとは、可撓性を有する硬質の合成樹脂からなる包装体本体１の上記のような復元力が被包装物１５に対して好適に作用するように、所定の寸法に設定されている。
【００２６】
従って、円柱状である被包装物１５は、可撓性を有する硬質の合成樹脂からなる包装体本体１の一片１ａと他片１ｂとの復元力によって前後方向から挟持固定されることとなるので、被包装物１５が不用意に回転するのが阻止されることとなる。この結果、被包装物１５が、たとえば化粧品、医薬品、飲料などのように、内容物を収容するとともに、その内容物に関する情報を表示する容器のようなものの場合、その容器の正面側に付されたラベル等の情報表示物が正面以外の位置に向くことを好適に阻止することができ、ひいては商品の展示効果等を損なうことも防止できる。
【００２７】
（実施形態２）
本実施形態では、図１０に示すように可撓性を有する硬質の合成樹脂からなる透明な１枚の合成樹脂製シートを打ち抜き等の加工を行って所望形状に形成し、その所望形状に形成された１枚の合成樹脂製シートを、図８及び９のような形態に折り曲げ、所定部位を接着等することによって包装体本体１が構成されており、これらの点で実施形態１と共通する。
【００２８】
また、図８乃至１０に示すように、包装体本体１が正面側の一片１ａと背面側の他片１ｂとを具備し、その一片１ａと他片１ｂ間の上部に開口部２を有しており、この点でも実施形態１と共通する。
【００２９】
しかし、本実施形態においては、上記実施形態１のような延長片３や折曲片５が包装体本体１の一片１ａの上部に形成されてはおらず、図８乃至図１０に示すように、ガゼット押え片６が包装体本体１の一片１ａの上部に直接連設されており、この点で、延長片３や折曲片５が形成されていた実施形態１と相違する。
【００３０】
また本実施形態では、上記実施形態１のような指掛孔７がガゼット押え片６に穿設されてはおらず、包装体本体１の一片１ａとガゼット押え片６との連設部分にスリット１６が形成されており、この点においても実施形態１と相違する。
【００３１】
さらに、本実施形態では、図８乃至図１０に示すように、前記ガゼット押え片６の側縁及びガゼット形成片９ｂの側縁に、略半円状の舌片１７、１８が形成されており、その点においても上記実施形態１と相違する。
【００３２】
ただし、ガゼット押え片６の先端側に突片８が突設されている点は実施形態１と共通する。また、包装体本体１の他片１ｂの上部にガゼット形成片９ａ、９ｂが形成され、該ガゼット形成片９ａ、９ｂの折曲部９ｃ上にスリット１１が形成されている点も実施形態１と共通する。
【００３３】
さらに、包装体本体１の一片１ａの下部に、底部のガゼット部１２を形成するためのガゼット形成片１２ａ、１２ｂが形成されている点、該ガゼット形成片１２ｂに接着することができる接着片１３が包装体本体１の他片１ｂの下部に連設されている点、包装体本体１の一片１ａの他側縁側に接着片１４が連設されている点も実施形態１と共通する。
【００３４】
本実施形態においても、実施形態１と同様に、接着片１４が他片１ｂの側縁の外側に接着されることで、包装体本体１の正面側の一片１ａと背面側の他片１ｂとが構成され、また底部のガゼット形成片１２ａ、１２ｂを折り曲げることによって底部のガゼット部１２が形成されるが、本実施形態では、接着片１３が他方のガゼット形成片１２ｂの外側に接着されており、この点で接着片１３がガゼット形成片１２ｂの内側に接着されていた実施形態１と相違する。
【００３５】
また、上部のガゼット部９を展開状態とする場合において、上部のガゼット形成片９ａ、９ｂを内向きに折り込む点、ガゼット押え片６の先端側の突片８をスリット１１に差し込む点は実施形態１と共通するが、本実施形態ではガゼット形成片９ｂの先端側の差込片１９がスリット１６に差し込まれ、この点で、実施形態１と相違する。さらに、本実施形態では、ガゼット押え片６の側縁及びガゼット形成片９ｂの側縁に舌片１７、１８が形成されており、この点においても上記実施形態１と相違する。尚、この舌片１７、１８は、開封時、すなわち、上部のガゼット形成片１２ａ、１２ｂや折曲片５、ガゼット押え片６等を引き上げて開口部２を開口状態とするときに、摘み部分として機能するものである。
【００３６】
本実施形態の包袋体を使用する場合には、実施形態１と同様に、先ず外向きに折り曲げられていたガゼット形成片１２ａ、１２ｂを内向きに折り込むことによって底部のガゼット部１２が少し展開された状態とする。
【００３７】
このようにして底部のガゼット形成片１２ａ、１２ｂを内向きに折り込み、底部のガゼット部１２が少し展開させた状態で、図１１に示すように被包装物１５を開口部２から包装体本体１内に収容し、上部のガゼット形成片９ａ、９ｂを折り曲げつつ、ガゼット形成片９ｂの先端側の差込片１９をスリット１６に差し込むとともに、ガゼット押え片６の先端側の突片８をスリット１１に差し込むことで開口部２が閉じられる。
【００３８】
本実施形態では、実施形態１のような延長片３や折曲片５が設けられていないが、上記図１１に示すように、ガゼット押え片６の先端側の突片８がスリット１１に差し込まれ、ガゼット形成片９ｂの先端側の差込片１９がスリット１６に差し込まれた状態においては、ガゼット押え片６及びガゼット形成片９ａ、９ｂによって、ほぼ開口部２が閉じられた状態となり、またガゼット押え片６によってガゼット形成片９ａ、９ｂの折り込みが維持された状態となっているので、被包装物１５を包装する上において、その被包装物１５が包装体本体１から不用意に飛び出す等の支障が生じるようなこともなく、また上部のガゼット部９が展開されて包装体本体１が膨出した状態が確実に維持されることとなる。
【００３９】
本実施形態においても、被包装物１５として、円柱状の被包装物が用いられる。また、包装体本体１が可撓性を有する硬質の合成樹脂で構成されているため、被包装物１５が包装体本体１内に収容されて包装された状態において、包装体本体１の一片１ａと他片１ｂとの復元力により、正面側及び背面側から被包装物１５が挟持固定されることとなる。
【００４０】
従って、円柱状である被包装物１５が、可撓性を有する硬質の合成樹脂からなる包装体本体１の一片１ａと他片１ｂとの膨出に対する復元力や引張応力によって挟持固定され、被包装物１５が不用意に回転するのが阻止され、内容物に関する情報を表示する容器のようなものの場合、その容器の正面側に付されたラベル等の情報表示物が正面以外の位置に向くことを好適に阻止することができ、ひいては商品の展示効果等を損なうことを防止できるという効果は、本実施形態においても、実施形態１と同様に生じることとなる。
【００４１】
（その他の実施形態）
尚、上記実施形態では、包装体本体１が、１枚の合成樹脂製シートを打ち抜き等の加工を行って所望形状に形成し、その所望形状に形成された１枚の合成樹脂製シートを、折り曲げ、所定部位を接着等することによって構成されていたため、包装体本体１の構造が簡素化され、また包装資材が不必要に増加するのを防止することができるという好ましい効果が得られたが、１枚の合成樹脂製シートで包装体本体１を構成することは、本発明に必須の条件ではない。
【００４２】
また、包装体本体１を構成する合成樹脂の種類も特に限定されるものではなく、上述のようにポリエチレン、ポリプロピレン、ポリエチレンテレフタレート等を使用することができ、その他の合成樹脂も使用することができる。
【００４３】
さらに、包装体本体１の上部の形態も、延長片３、折曲片５、ガゼット押え片６、ガゼット形成片９ａ、９ｂ、摘み片１０を具備する上記実施形態１のような形態のもの、或いはガゼット押え片６、ガゼット形成片９ａ、９ｂ、差込片１９を具備する上記実施形態２のような形態のものに限定されず、これら実施形態１、実施形態２のような形態以外のものであってもよい。
【００４４】
また、包装体本体１の下部の形態も、上記実施形態１、２のように、ガゼット形成片１２ａ、１２ｂや接着片１３を具備するような構成のものに限定されるものではない。
【００４５】
要は、包装体本体１の上部及び下部にガゼット部９、１２がそれぞれ形成され、該上下のガゼット部９、１２によって被包装物１５を挟持固定しうるように、包装体本体１が構成されていればよいのである。
【００４６】
さらに、上記実施形態では、包装体本体１の一片１ａの他側縁側のみに接着片１４が連設されていたが、これに限らず、図１２に示すように包装体本体１の一片１ａの両側縁側に接着片１４、１４をそれぞれ連設することも可能である。この場合には、包装体本体１の一片１ａと他片１ｂとは、同図のように底部のガゼット部１２を介して縦方向に連設されることとなり、この点で一片１ａと他片１ｂとが横方向に連設されていた上記実施形態１、２の場合と相違する。
【００４７】
また、この包装体本体１においては、図１２に示すように、前記底部のガゼット部１２が設けられた他片１ｂの端部とは反対側の端部に上部のガゼット部９が形成されており、この構成においても上記実施形態１、２と相違している。
【００４８】
さらに、上記実施形態１、２においては、接着片１４を他片１ｂの側縁の外側に接着して一片１ａと他片１ｂとを連結したが、これとは逆に、接着片１４を他片１ｂの側縁の内側に接着して一片１ａと他片１ｂとを連結することも可能である。
【００４９】
さらに、包装体本体１の一片１ａと他片１ｂとを連結する手段も、上記実施形態のような接着片１４を接着することによって連結する手段に限定されるものではなく、他の手段によって連結することも可能である。
【００５０】
さらに、上記実施形態では、包装体本体１の全体が透明に構成されていたが、全体が透明に構成されることは必ずしも必要なく、少なくとも包装体本体１の正面側が透明に構成されていればよい。
【００５１】
さらに、上記実施形態では、被包装物として、円柱状のものを用いたが、円柱状のもの以外に、円筒状、円盤状等の形態の被包装物を用いることも可能である。尚、本発明は、このような円柱状、円筒状、円盤状等の形態の被包装物に適用することを主眼とし、それによって、可撓性素材からなる包装体本体１の復元力や引張応力により、被包装物を挟持固定することで、被包装物の不用意な回転を阻止するという好ましい効果が得られたが、このような円柱状、円筒状、円盤状等の形態の被包装物に適用することは本発明に必須の条件ではなく、これ以外の形態の被包装物に適用することも可能である。
【００５２】
さらに、本発明の包装体の用途も、化粧品、医薬品、飲料等に限定されるものではなく、これ以外の雑貨等のものに適用することも可能である。
【図面の簡単な説明】
【００５３】
【図１】一実施形態としての包装体の正面図。
【図２】図１のＡ−Ａ線断面図。
【図３】図１のＢ−Ｂ線断面図。
【図４】一実施形態としての包装体の展開状態を示す正面図。
【図５】底部のガゼット形成片を内向きに折り込んだ状態を示す断面図。
【図６】被包装物を包装した状態の縦断面図。
【図７】被包装物を包装した状態の横断面図。
【図８】他実施形態の包装体の正面図。
【図９】図８のＣ−Ｃ線断面図。
【図１０】他実施形態の包装体の展開状態を示す正面図。
【図１１】被包装物を包装した状態の縦断面図。
【図１２】さらに他の実施形態の包装体の展開状態を示す正面図。
【符号の説明】
【００５４】
１  包装体本体
２  開口部
９  ガゼット部
１２  ガゼット部
１５  被包装物
【図１】
2009173299.tif 000003
【図２】
2009173299.tif 000004
【図３】
2009173299.tif 000005
【図４】
2009173299.tif 000006
【図５】
2009173299.tif 000007
【図６】
2009173299.tif 000008
【図７】
2009173299.tif 000009
【図８】
2009173299.tif 000010
【図９】
2009173299.tif 000011
【図１０】
2009173299.tif 000012
【図１１】
2009173299.tif 000013
【図１２】
2009173299.tif 000014